(57)【要約】【課題】デジタル録画機器を識別するための識別情報が変更された場合にも、その識別情報が変更されたデジタル録画機器に対しデジタル映像信号の記録及び再生のいずれかの実行時に識別情報の変更をユーザに提示する。【解決手段】初期登録時にデジタルテレビジョン放送受信装置１１に接続されるＨＤＤ２５、ＨＤＤ２７、ＰＣ２８及びＤＶＤレコーダ２９それぞれのストレージＩＤをファイル形式でＨＤＤ２５に登録し、内部の不揮発性メモリに登録ファイルと同一の内容を登録し、ＨＤＤ２７を指定したデジタル映像信号の録画または再生の実行要求が発生した際に、デジタルテレビジョン放送受信装置１１により登録ファイルをＨＤＤ２５から取得して、この登録ファイル中のストレージＩＤと内部の不揮発性メモリに記憶されているストレージＩＤとを比較し、変更された場合に、ＨＤＤ２７にアクセスできない旨を映像表示器に表示する。【選択図】      図１
2006092711.tif 000002
【特許請求の範囲】
【請求項１】
それぞれデジタル映像信号を書き込み可能な複数の記録媒体の中から指定した記録媒体に対し任意のデジタル映像信号の読み出し及び書き込みのいずれかを選択的に実行し、この実行中のデジタル映像信号を表示器に表示するデジタル映像信号処理装置であって、
前記複数の記録媒体をそれぞれ識別するための複数の識別情報を格納する記憶手段と、
前記記録媒体を指定したデジタル映像信号の書き込み及び読み出しのいずれかの実行要求が発生した場合に、初期登録時の前記複数の記録媒体それぞれの識別情報を記述した登録ファイルを取得する取得手段と、
前記登録ファイル中の該当する識別情報と前記記憶手段に記憶されている識別情報とを比較することで、指定した記録媒体の識別情報が変更されたことを検出する検出手段と、
この検出手段により識別情報が変更されたことが検出されたとき、当該記録媒体にアクセスできない旨を前記表示器に表示させる制御手段とを具備したことを特徴とするデジタル映像信号処理装置。
【請求項２】
前記登録ファイルが前記複数の記録媒体の中の特定の記録媒体に記憶保持されているとき、
前記取得手段は、前記特定の記録媒体から前記登録ファイルを取得することを特徴とする請求項１記載のデジタル映像信号処理装置。
【請求項３】
前記検出手段による検出結果に対応付けて、詳細情報を格納する結果記憶手段をさらに備え、
前記制御手段は、指定した記録媒体にアクセスできない旨を前記表示器に表示させるとともに、対応する詳細情報を読み出して前記表示器に表示させることを特徴とする請求項１記載のデジタル映像信号処理装置。
【請求項４】
前記取得手段は、前記識別情報とともに、当該識別情報に対応する記録媒体の初期化回数情報を記述した登録ファイルを取得し、
前記記憶手段は、前記識別情報に対応付けて記録媒体の初期化回数情報を記憶し、
前記結果記憶手段は、初期化回数情報が一致したときの詳細情報、及び初期化回数情報が一致しないときの詳細情報を記憶し、
記制御手段は、前記検出手段による検出結果に基づいて、該当する詳細情報を前記結果記憶手段から読み出して前記表示器に表示させることを特徴とする請求項３記載のデジタル映像信号処理装置。
【請求項５】
それぞれデジタル映像信号を書き込み可能な複数の記録媒体の中から指定した記録媒体に対し任意のデジタル映像信号の読み出し及び書き込みのいずれかを選択的に実行し、この実行中のデジタル映像信号を表示器に表示するデジタル映像信号処理装置で使用される制御方法であって、
前記複数の記録媒体をそれぞれ識別するための複数の識別情報を不揮発性メモリに記憶し、
前記記録媒体を指定したデジタル映像信号の書き込み及び読み出しのいずれかの実行要求が発生した場合に、初期登録時の前記複数の記録媒体それぞれの識別情報を記述した登録ファイルを取得し、
前記登録ファイル中の該当する識別情報と前記不揮発性メモリに記憶されている識別情報とを比較することで、指定した記録媒体の識別情報が変更されたことを検出し、
指定した記録媒体の識別情報が変更されたことが検出されたとき、当該記録媒体にアクセスできない旨を前記表示器に表示させることを特徴とするデジタル映像信号処理装置の制御方法。
【発明の詳細な説明】
【技術分野】
【０００１】
この発明は、例えばＨＤＤ（Hard Disk Drive）やメモリカードといった複数の記録媒体の中から指定した記録媒体に対し任意のデジタル映像信号の読み出し及び書き込みのいずれかを選択的に実行し、この実行中のデジタル映像信号をテレビジョン受像機に表示するデジタル映像信号処理装置及びこのデジタル映像信号処理装置で使用される制御方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した放送コンテンツをデジタル記録したり、記録した放送コンテンツを再生したりすることが可能となっている。
【０００４】
また、現在では、１台のデジタル放送受信装置に対して、複数のデジタル記録機器を接続してネットワーク化することにより、デジタル放送受信装置が、任意のデジタル記録機器を指定して放送コンテンツの記録を行わせたり、任意のデジタル記録機器を指定して放送コンテンツの再生を行わせたりすることができる。さらに、現在では、デジタル放送受信装置に対して、デジタルカメラで撮影されメモリカードに記録された多数の写真を映像表示させる機能も付加されている。
【０００５】
ところで、上記デジタル放送受信装置では、ネットワーク上のデジタル記録機器あるいは放送コンテンツを記録したソフトウェアを、ＮｅｔＢｉｏｓ名あるいはＩＰ（Internet Protocol）アドレスで管理する場合が多い（例えば、特許文献１）。
【特許文献１】特開２００３−２９９００８号公報。
【発明の開示】
【発明が解決しようとする課題】
【０００６】
ところで、上記デジタル放送受信装置では、上記ＮｅｔＢｉｏｓ名あるいはＩＰアドレスはユーザによってのみならずネットワーク環境の変化によって自動的に変更される可能性も高い。このため、デジタル記録機器が放送コンテンツを保存後、保存先のデジタル記録機器にアクセスしようとして失敗し、また別のデジタル記録機器を保存先のデジタル記録機器として誤認してしまう恐れがある。このような問題の原因をユーザは認識することができない。
【０００７】
そこで、この発明の目的は、デジタル録画機器を識別するための識別情報が変更された場合にも、その識別情報が変更されたデジタル録画機器に対しデジタル映像信号の記録及び再生のいずれかの実行時に識別情報の変更をユーザに提示し得るデジタル映像信号処理装置及びこのデジタル映像信号処理装置で使用される制御方法を提供することにある。
【課題を解決するための手段】
【０００８】
この発明は、上記目的を達成するために、以下のように構成される。  
それぞれデジタル映像信号を書き込み可能な複数の記録媒体の中から指定した記録媒体に対し任意のデジタル映像信号の読み出し及び書き込みのいずれかを選択的に実行し、この実行中のデジタル映像信号を表示器に表示するデジタル映像信号処理装置であって、複数の記録媒体をそれぞれ識別するための複数の識別情報を格納する記憶手段と、記録媒体を指定したデジタル映像信号の書き込み及び読み出しのいずれかの実行要求が発生した場合に、初期登録時の複数の記録媒体それぞれの識別情報を記述した登録ファイルを取得する取得手段と、登録ファイル中の該当する識別情報と記憶手段に記憶されている識別情報とを比較することで、指定した記録媒体の識別情報が変更されたことを検出する検出手段と、この検出手段により識別情報が変更されたことが検出されたとき、当該記録媒体にアクセスできない旨を前記表示器に表示させる制御手段とを備えるようにしたものである。
【０００９】
この構成によれば、初期登録時に接続される複数の記録媒体それぞれの識別情報をファイル形式で特定の記録媒体に登録しておくとともに、不揮発性メモリに識別情報を登録しておき、記録媒体を指定したデジタル映像信号の書き込み及び読み出しのいずれかの実行要求が発生した際に、その実行に先立ち、登録ファイルを特定の記録媒体から取得して、この登録ファイル中の識別情報と不揮発性メモリに記憶されている識別情報とを比較することで識別情報の変更の有無が判定される。そして、変更された場合に、記録媒体にアクセスできない旨が表示器に表示される。従って、誤った記録媒体へのアクセスや誤った識別情報の登録、あるいは不正な記録媒体の変更や識別情報の変更が行われないようにすることができる。また、誤ったデジタル映像信号の記録や再生も未然に防ぐことができる。
【００１０】
検出手段による検出結果に対応付けて、詳細情報を格納する結果記憶手段をさらに備え、制御手段は、検出手段により指定された識別情報が複数検出されたとき、指定した記録媒体にアクセスできない旨を表示器に表示させるとともに、対応する詳細情報を読み出して表示器に表示させることを特徴とする。  
この構成によれば、指定の記録媒体にアクセスできない旨に加えて、その理由又は対応ガイダンス情報を表示するようにすれば、ユーザはその原因を把握して適切なやり直し操作等を行うことが可能となる。
【００１１】
取得手段は、識別情報とともに、当該識別情報に対応する記録媒体の初期化回数情報を記述した登録ファイルを取得し、記憶手段は、識別情報に対応付けて記録媒体の初期化回数情報を記憶し、結果記憶手段は、初期化回数情報が一致したときの詳細情報、及び初期化回数情報が一致しないときの詳細情報を記憶し、制御手段は、検出手段による検出結果に基づいて、該当する詳細情報を結果記憶手段から読み出して表示器に表示させることを特徴とする。
【００１２】
この構成によれば、指定した記録媒体の初期化回数についてもチェックされ、これにより誤って初期化された旨や不正な記録媒体の接続、不正な記録媒体の初期化を確認できる。
【発明の効果】
【００１３】
以上詳述したようにこの発明によれば、デジタル録画機器を識別するための識別情報が変更された場合にも、その識別情報が変更されたデジタル録画機器に対しデジタル映像信号の記録及び再生のいずれかの実行時に識別情報の変更をユーザに提示し得るデジタル映像信号処理装置及びこのデジタル映像信号処理装置で使用される制御方法を提供することができる。
【発明を実施するための最良の形態】
【００１４】
以下、この発明の実施形態について図面を参照して詳細に説明する。  
（第１の実施形態）  
図１は、この発明の第１の実施形態で説明するデジタルテレビジョン放送受信装置１１の外観と、このデジタルテレビジョン放送受信装置１１を中心として構成されるネットワークシステムの一例を概略的に示している。
【００１５】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１６】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１７】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１８】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１９】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００２０】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２１】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２２】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２３】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２４】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２５】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２６】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２７】
そして、このチューナ４５で選局された放送信号は、ＰＳＫ（Phase Shift Keying）復調器４６に供給されて、デジタルの映像信号及び音声信号に復調された後、信号処理部４７に出力される。
【００２８】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２９】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３０】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３１】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３２】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３３】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３４】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３５】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３６】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３７】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３８】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３９】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００４０】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４１】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４２】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４３】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４４】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４５】
ところで、この第１の実施形態では、ＨＤＤ２５に初期登録時のＨＤＤ２５、ＨＤＤ２７、ＰＣ２８、ＤＶＤレコーダ２９それぞれに割り当てられたストレージＩＤ（ＩＰアドレス、機器名を含む）を記述した登録ファイルを記憶保持している。
【００４６】
また、不揮発性メモリ６４にＨＤＤ２５、ＨＤＤ２７、ＰＣ２８、ＤＶＤレコーダ２９それぞれのストレージＩＤを記憶している。
【００４７】
また、制御部６１は、この発明に係わる機能として、ファイル取得機能６１１と、判定機能６１２と、表示制御機能６１３とを備えている。ファイル取得機能６１１は、例えばＨＤＤ２７を指定したデジタル映像信号の録画及び再生のいずれかの実行要求が発生した場合に、ＨＤＤ２５から登録ファイルを取得する。
【００４８】
判定機能６１２は、登録ファイル中のＨＤＤ２７のストレージＩＤと不揮発性メモリ６４に記憶保持されているＨＤＤ２７のストレージＩＤとの比較を行い、これによりストレージＩＤが一致するか否かを判定する。
【００４９】
表示制御機能６１３は、ストレージＩＤが一致した場合に、ＨＤＤ２７に対するデジタル映像信号の録画または再生を実行するが、ストレージＩＤが一致しない場合に、その旨のメッセージをストレージＩＤと共に映像表示器１４にＯＳＤにより表示させる。
【００５０】
次に、上記構成における処理動作について説明する。  
例えば、図３に示すように、デジタルテレビジョン放送受信装置１１に対しＰＣ２８が接続されたとする。すると、デジタルテレビジョン放送受信装置１１の制御部６１は、登録処理モードに入り、図４に示す処理手順を実行する。
【００５１】
まず、制御部６１は、映像表示器１４にストレージＩＤの入力案内画面を表示し（ステップＳＴ４ａ）、この状態でユーザよりＰＣ２８のストレージＩＤが入力されると、入力されたストレージＩＤをＨＤＤ２５に記憶保持されている登録ファイルに登録し（ステップＳＴ４ｂ）、登録成功か否かの判断を行う（ステップＳＴ４ｃ）。
【００５２】
ここで、登録が失敗した場合（Ｎｏ）、制御部６１は映像表示器１４にエラーメッセージを表示し（ステップＳＴ４ｄ）、成功した場合に（Ｙｅｓ）、登録処理を終了する。
【００５３】
一方、例えばＨＤＤ２７に対しデジタル映像信号の録画を行う場合、制御部６１は、図５に示す処理を実行する。
【００５４】
録画を行う際に、ユーザはリモートコントローラ１７を操作することで録画モードを設定する。すると、制御部６１は映像表示器１４に入力案内画面を表示し、ユーザにより指定のストレージＩＤが入力されるか否かの判断を行う（ステップＳＴ５ａ）。
【００５５】
ここで、ＨＤＤ２７を指定したストレージＩＤが入力された場合（Ｙｅｓ）、制御部６１はＨＤＤ２５から登録ファイルを読み込み（ステップＳＴ５ｂ）、登録ファイル中の指定のストレージＩＤと不揮発性メモリ６４に登録されているストレージＩＤとを比較し、これによりストレージＩＤが変更されたか否かの判定を行う（ステップＳＴ５ｃ）。
【００５６】
ここで、ストレージＩＤが一致すれば（Ｙｅｓ）、制御部６１は指定のＨＤＤ２７に正常アクセスを行うが（ステップＳＴ５ｄ）、ストレージＩＤが変更された場合に（Ｎｏ）、変更の旨のメッセージとストレージＩＤを映像表示器１４に供給してＯＳＤ表示させる（ステップＳＴ５ｅ）。従って、この表示によりユーザは指定するＨＤＤ２７のストレージＩＤの変更を知ることができる。
【００５７】
また、上記ステップＳＴ５ａにおいて、ユーザ入力が失敗した場合に、制御部６１は入力失敗の旨のメッセージとストレージＩＤを映像表示器１４に供給してＯＳＤ表示させる。
【００５８】
以上のように上記第１の実施形態では、初期登録時にデジタルテレビジョン放送受信装置１１に接続されるＨＤＤ２５、ＨＤＤ２７、ＰＣ２８及びＤＶＤレコーダ２９それぞれのストレージＩＤをファイル形式でＨＤＤ２５に登録しておくとともに、不揮発性メモリ６４にＨＤＤ２５、ＨＤＤ２７、ＰＣ２８及びＤＶＤレコーダ２９それぞれのストレージＩＤを登録しておき、例えばＨＤＤ２７を指定したデジタル映像信号の録画または再生の実行要求が発生した際に、その実行に先立ち、制御部６１により登録ファイルをＨＤＤ２５から取得して、この登録ファイル中のストレージＩＤと不揮発性メモリ６４に記憶されているストレージＩＤとを比較してストレージＩＤの変更の有無を判定し、変更された場合に、ＨＤＤ２７にアクセスできない旨を映像表示器１４に表示するようにしている。
【００５９】
従って、誤った機器へのアクセスや誤ったストレージＩＤの登録、あるいは不正な機器の変更やストレージＩＤの変更が行われないようにすることができる。また、誤ったデジタル映像信号の記録や再生も未然に防ぐことができる。
【００６０】
（第２の実施形態）  
図６は、この発明の第２の実施形態におけるデジタルテレビジョン放送受信装置１１の機能構成を示すブロック図である。なお、図６において、上記図２と同一部分には同一符号を付して詳細な説明を省略する。
【００６１】
すなわち、制御部６１には、ガイダンスメモリ７３が設けられている。ガイダンスメモリ７３には、図７に示すように、登録ファイルと不揮発性メモリ６４の記憶内容との照合結果と、映像表示器１４に表示すべくガイダンスデータとの対応関係を表すデータが記憶されている。
【００６２】
また、ＨＤＤ２５に記憶保持されている登録ファイルには、ストレージＩＤに加えて該当する機器の初期化回数が記述されている。さらに、不揮発性メモリ６４には、ストレージＩＤに加えて該当する機器の初期化回数情報が記憶されている。
【００６３】
次に、上記構成における処理動作について説明する。  
例えばＨＤＤ２７に対しデジタル映像信号の録画を行う場合、制御部６１は、図８に示す処理を実行する。
【００６４】
録画を行う際に、ユーザはリモートコントローラ１７を操作することで録画モードを設定する。すると、制御部６１は映像表示器１４に入力案内画面を表示し、ユーザにより指定のストレージＩＤが入力されるか否かの判断を行う（ステップＳＴ８ａ）。
【００６５】
ここで、ＨＤＤ２７を指定したストレージＩＤが入力された場合（Ｙｅｓ）、制御部６１はＨＤＤ２５から登録ファイルを読み込み（ステップＳＴ８ｂ）、登録ファイルと不揮発性メモリ６４に登録されているデータとを比較し、これによりストレージＩＤが変更されたか否か及び初期化回数が一致するか否かの判定を行う（ステップＳＴ８ｃ）。
【００６６】
ここで、ストレージＩＤが一致すれば（Ｙｅｓ）、制御部６１は指定のＨＤＤ２７に正常アクセスを行うが（ステップＳＴ８ｄ）、ストレージＩＤが変更された場合に（Ｎｏ）、カイダンスメモリ７３から該当するガイダンスデータ「登録しなおしてください」を読み出し（ステップＳＴ８ｅ）、変更の旨のメッセージ、ストレージＩＤ及びガイダンスデータを映像表示器１４に供給してＯＳＤ表示させる（ステップＳＴ８ｆ）。
【００６７】
また、初期化回数が異なる場合に、制御部６１はガイダンスメモリ７３から該当するガイダンスデータ「初期化されています」読み出し、初期化回数が異なる旨のメッセージ及びガイダンスデータを映像表示器１４に供給してＯＳＤ表示させる。
【００６８】
以上のように上記第２の実施形態では、制御部６１において、登録ファイルと不揮発性メモリ６４の登録データとの照合結果に対応するガイダンスデータを記憶するガイダンスメモリ７３を設けて、例えば指定のＨＤＤ２７にアクセスできない旨に加えて、その理由又は対応ガイダンスデータを映像表示器１４に表示するようにすれば、ユーザはその原因を把握して適切なやり直し操作等を行うことが可能となる。
【００６９】
また、上記第２の実施形態によれば、指定したＨＤＤ２７の初期化回数についてもチェックすることができ、これにより誤って初期化された旨や不正な機器の接続、不正な機器の初期化を確認できる。
【００７０】
（その他の実施形態）  
この発明は、上記各実施形態に限定されるものではない。例えば、各実施形態では、登録ファイルをＨＤＤ２５に記憶保持する例について説明した。しかしこれに限ることなく、メモリカード等に登録するようにしてもよい。この場合、不正なストレージＩＤの変更に対するセキュリティを高めることができる。
【００７１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７２】
【図１】この発明の第１の実施形態に係わるデジタルテレビジョン放送受信装置とそれを中心として構成されるネットワークシステムの一例を概略的に説明するために示す図。
【図２】同第１の実施形態におけるデジタルテレビジョン放送受信装置の主要な信号処理系を説明するために示すブロック構成図。
【図３】同第１の実施形態において、デジタルテレビジョン放送受信装置が指定のＨＤＤにアクセスする動作を説明するために示す図。
【図４】同第１の実施形態において、デジタルテレビジョン放送受信装置のストレージＩＤの登録処理手順を示すフローチャート。
【図５】同第１の実施形態において、デジタルテレビジョン放送受信装置の指定のＨＤＤへのアクセス処理手順を示すフローチャート。
【図６】この発明の第２の実施形態に係わるデジタルテレビジョン放送受信装置の主要な信号処理系を説明するために示すブロック構成図。
【図７】同第２の実施形態において、デジタルテレビジョン放送受信装置内のガイダンスメモリの記憶内容の一例を示す図。
【図８】同第２の実施形態において、デジタルテレビジョン放送受信装置の指定のＨＤＤへのアクセス処理手順を示すフローチャート。
【符号の説明】
【００７３】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３…ガイダンスメモリ、６１１…ファイル取得機能、６１２…判定機能、６１３…表示制御機能。
【図１】
2006092711.tif 000003
【図２】
2006092711.tif 000004
【図３】
2006092711.tif 000005
【図４】
2006092711.tif 000006
【図５】
2006092711.tif 000007
【図６】
2006092711.tif 000008
【図７】
2006092711.tif 000009
【図８】
2006092711.tif 000010